(57)【要約】      （修正有）【課題】セキュアなデータ更新を行うことが可能なデータ更新システムを提供する。【解決手段】専用通信ケーブル２１は、市販通信ケーブル９１における一方の複数の通信端子９１１の配置と同等の配置を有する一方の複数の第一の通信端子２１１と、市販通信ケーブル９１における他方の複数の通信端子９１２の配置と比較して２つ以上の通信端子が入れ替えられた部分を有する他方の複数の第二の通信端子２１２と、を備える。データ制御装置２２は、装置側記憶部２２１からの複数の通信配線２２２にそれぞれ接続され、専用通信ケーブル２１の複数の第二の通信端子２１２の入れ替え部分と同等の入れ替え部分２２３ａを有する複数の装置側接続端子２２３と、を備える。複数の第一の通信端子２１１が複数の端末側接続端子２０３にそれぞれ接続され、複数の第二の通信端子２１２が複数の装置側接続端子２２３にそれぞれ接続され、装置側記憶部２２１のデータを端末側記憶部２０１のデータに更新するデータ更新制御部２２４を備える。【選択図】図４
0003219885.tif 000002
【実用新案登録請求の範囲】
【請求項１】
市販外部端末と専用通信ケーブルとデータ制御装置とを備えるデータ更新システムであって、
前記市販外部端末は、
データを記憶する端末側記憶部と、
前記端末側記憶部からの複数の通信配線にそれぞれ接続された複数の端末側接続端子と、
を備え、
前記専用通信ケーブルは、
市販通信ケーブルにおける一方の複数の通信端子の配置と同等の配置を有する一方の複数の第一の通信端子と、
前記市販通信ケーブルにおける他方の複数の通信端子の配置と比較して２つ以上の通信端子が入れ替えられた部分を有する他方の複数の第二の通信端子と、
を備え、
前記データ制御装置は、
データを記憶する装置側記憶部と、
前記装置側記憶部からの複数の通信配線にそれぞれ接続され、前記専用通信ケーブルの複数の第二の通信端子の入れ替え部分と同等の入れ替え部分を有する複数の装置側接続端子と、
前記複数の第一の通信端子が前記複数の端末側接続端子にそれぞれ接続され、前記複数の第二の通信端子が前記複数の装置側接続端子にそれぞれ接続され、ユーザから所定の操作を受け付けると、前記装置側記憶部のデータを前記端末側記憶部のデータに更新するデータ更新制御部と、
を備えるデータ更新システム。
【考案の詳細な説明】
【技術分野】
【０００１】
本考案は、データ更新システムに関し、詳しくは、簡単な構成であるにもかかわらず、市販のメモリデバイス又は市販の端末装置の接続によるデータの流出及び改ざんを防止し、セキュアなデータ更新を行うことが可能なデータ更新システムに関する。
【背景技術】
【０００２】
従来、データの取り扱いに高度なセキュリティが求められている分野では、そのセキュリティを保ちながら、データのやり取りを実現する技術が開発されている。
【０００３】
例えば、特開２０１３−２２２２５１号公報（特許文献１）には、複数の接続端子と、ＩＣリーダと、複数のスイッチと、を具備するコネクタが開示されている。接続端子は、所定の配線ラインに接続するためのものである。ＩＣリーダは、中継ケーブルに内蔵されたＩＣタグのＩＤ情報を読み取るものである。そして、ＩＣリーダは、中継ケーブルが接続された時にＩＤ情報の読み取りを開始すると共に、複数のスイッチは、ＩＣリーダで読み取られたＩＤ情報に基づく認証が成立した時にだけ、複数の接続端子を所定の配線ラインと接続し、ＩＤ情報に基づく認証が不成立の時には、複数の接続端子と所定の配線ラインとの接続は切断されたままの状態を維持するように動作する。これにより、不正アクセスにより、例えば、情報処理装置に具備されたコネクタを介して該情報処理装置の記憶装置に格納されているデータが持ち出されることを防止することが出来るとしている。
【０００４】
一方、本出願人は、既に、実用新案登録第３１７２１２３号公報（特許文献２）に示すブック型動画再生機器と、実用新案登録第３１７８３６７号公報（特許文献３）に示す動画再生装置を実用新案登録出願している。
【先行技術文献】
【特許文献】
【０００５】
【特許文献１】特開２０１３−２２２２５１号公報
【特許文献２】実用新案登録第３１７２１２３号公報
【特許文献３】実用新案登録第３１７８３６７号公報
【考案の概要】
【考案が解決しようとする課題】
【０００６】
医療分野や金融分野等では、ビデオカタログ等の動画再生装置を製造する製造者が、所定の動画のデータを動画再生装置に予め保存し、その動画再生装置を取り扱う取扱店に提供する。取扱店は最終消費者に動画再生装置を貸し出し、最終消費者は動画再生装置で動画のデータを再生することで、様々な情報を得ている。
【０００７】
ここで、取扱店では、時間の経過とともに、動画再生装置の動画のデータが古くなるため、動画のデータを別の動画のデータに変更する必要がある。そこで、取扱店は、動画再生装置の動画のデータの更新を製造者に依頼し、製造者は、市販のメモリデバイスや市販のケーブルを用意し、動画のデータの更新方法を記載した解説資料を取扱店に配布して、取扱店で動画再生装置の動画のデータの更新を行っていた。
【０００８】
具体的には、２種類の更新方法があり、第一の方法では、製造者が、市販のメモリデバイスに更新用の動画のデータを予め保存しておき、その市販のメモリデバイスを取扱店の動画再生装置に接続して、所定の操作を行い、市販のメモリデバイスの動画のデータを取扱店の動画再生装置に移行して更新させる。第二の方法では、製造者が、上述した市販のメモリデバイスを製造者が用意した市販の端末装置又は取扱者の市販の端末装置に接続して、更新用の動画のデータを市販の端末装置に移行し、その市販の端末装置を市販のケーブルを介して取扱店の動画再生装置に接続して、所定の操作を行い、市販の端末装置の動画のデータを取扱店の動画再生装置に移行して更新させる。
【０００９】
しかしながら、取扱者側では、規則上、市販のメモリデバイス又は市販の端末装置が取扱者の保有する端末装置と接続することが禁止され、更に、製造者が取扱者に市販のメモリデバイスや市販の端末装置を資材として導入すること自体が禁止されていることが多くなってきている。これは、例えば、市販のメモリデバイス又は市販の端末装置に不正のウイルスが感染している場合、これらが取扱者の端末装置と接続すると、取扱者の端末装置がウイルスに感染し、取扱者の端末装置に記憶されたデータの流出及び改ざんが生じる可能性があるためである。従って、製造者側では、市販のメモリデバイス又は市販の端末装置を用いて取扱者の動画再生装置のデータ更新を行うことが出来ないという課題がある。
【００１０】
一方、上述した特許文献１に記載の技術では、ＩＣリーダが必須であり、部品点数が多く、全体としてコスト高になり易い。更に、ＩＣリーダを用いた認証が必要であり、作業者側に負担が掛かるという課題がある。
【００１１】
そこで、本考案は、前記課題を解決するためになされたものであり、簡単な構成であるにもかかわらず、市販の外部メモリ又は市販の外部端末の接続によるデータの流出及び改ざんを防止し、セキュアなデータ更新を行うことが可能なデータ更新システムを提供することを目的とする。
【課題を解決するための手段】
【００１２】
本考案者は、鋭意研究を重ねた結果、本考案に係る新規なデータ更新システムを完成させた。即ち、本考案に係るデータ更新システムは、市販外部端末と専用通信ケーブルとデータ制御装置とを備えるデータ更新システムであって、前記市販外部端末は、データを記憶する端末側記憶部と、前記端末側記憶部からの複数の通信配線にそれぞれ接続された複数の端末側接続端子と、を備える。前記専用通信ケーブルは、市販通信ケーブルにおける一方の複数の通信端子の配置と同等の配置を有する一方の複数の第一の通信端子と、前記市販通信ケーブルにおける他方の複数の通信端子の配置と比較して２つ以上の通信端子が入れ替えられた部分を有する他方の複数の第二の通信端子と、を備える。前記データ制御装置は、データを記憶する装置側記憶部と、前記装置側記憶部からの複数の通信配線にそれぞれ接続され、前記専用通信ケーブルの複数の第二の通信端子の入れ替え部分と同等の入れ替え部分を有する複数の装置側接続端子と、前記複数の第一の通信端子が前記複数の端末側接続端子にそれぞれ接続され、前記複数の第二の通信端子が前記複数の装置側接続端子にそれぞれ接続され、ユーザから所定の操作を受け付けると、前記装置側記憶部のデータを前記端末側記憶部のデータに更新するデータ更新制御部と、を備える。
【考案の効果】
【００１３】
本考案によれば、簡単な構成であるにもかかわらず、市販の外部メモリ又は市販の外部端末の接続によるデータの流出及び改ざんを防止し、セキュアなデータ更新を行うことが可能となる。
【図面の簡単な説明】
【００１４】
【図１】本考案に係る第一のデータ更新システムを示す概念図である。
【図２】本考案に係る第一のデータ更新システムにおいて市販外部メモリとデータ制御装置とを接続した場合を示す概念図（図２Ａ）と、本考案に係る第一のデータ更新システムにおいて専用外部メモリとデータ制御装置とを接続した場合を示す概念図（図２Ｂ）と、である。
【図３】本考案に係る第二のデータ更新システムを示す概念図である。
【図４】本考案に係る第二のデータ更新システムにおいて市販通信ケーブルを用いて市販外部端末とデータ制御装置とを接続した場合を示す概念図（図４Ａ）と、本考案に係る第二のデータ更新システムにおいて専用通信ケーブルを用いて市販外部端末とデータ制御装置とを接続した場合を示す概念図（図４Ｂ）と、である。
【図５】本考案に係る第二のデータ更新システムの専用通信ケーブルの全体写真（図５Ａ）と、本考案に係る第二のデータ更新システムの専用通信ケーブルの雄型及び雌型の通信端子の写真（図５Ｂ）と、である。
【考案を実施するための形態】
【００１５】
以下に、添付図面を参照して、本考案の実施形態について説明し、本考案の理解に供する。尚、以下の実施形態は、本考案を具体化した一例であって、本考案の技術的範囲を限定する性格のものではない。
【００１６】
本発明に係るデータ更新システムは、専用外部メモリとデータ制御装置（例えば、動画再生装置）とを備える第一のデータ更新システムと、市販外部端末とデータ制御装置と専用通信ケーブルとを備える第二のデータ更新システムの２種類を想定することが出来る。先ず、第一のデータ更新システムについて説明する。
【００１７】
＜第一のデータ更新システム＞
本考案に係る第一のデータ更新システム１は、図１に示すように、専用外部メモリ１０とデータ制御装置１１とを備えるデータ更新システムである。専用外部メモリ１０は、データを記憶するメモリ側記憶部１０１と、メモリ側記憶部１０１からの複数の通信配線１０２にそれぞれ接続され、市販外部メモリ９０における複数の接続端子９０１の配置と比較して２つ以上の接続端子１０３ａを入れ替えた部分を有する複数のメモリ側接続端子１０３と、を備える。
【００１８】
ここで、専用外部メモリ１０がＵＳＢ（Ｕｎｉｖｅｒｓａｌ  Ｓｅｒｉａｌ  Ｂｕｓ）メモリ（ＵＳＢフラッシュドライブ）である場合、市販外部メモリ９０における接続端子９０１は、正規の規格に基づいて、＋５Ｖ、−Ｄ、＋Ｄ、ＧＮＤの４種類で構成されるが、一方、専用外部メモリ１０におけるメモリ側接続端子１０３は、＋５Ｖ、＋Ｄ、−Ｄ、ＧＮＤの４種類で構成される。つまり、正規の規格の接続端子９０１に対してメモリ側接続端子１０３ａの＋Ｄと−Ｄが入れ替わっている。
【００１９】
データ制御装置１１は、データを記憶する装置側記憶部１１１と、装置側記憶部１１１からの複数の通信配線１１２にそれぞれ接続され、複数のメモリ側接続端子１０３の入れ替え部分１０３ａと同等の入れ替え部分１１３ａを有する複数の装置側接続端子１１３と、を備える。
【００２０】
ここで、装置側接続端子１１３は、メモリ側接続端子１０３と同様に、＋５Ｖ、＋Ｄ、−Ｄ、ＧＮＤの４種類で構成され、正規の規格の接続端子９０１に対して装置側接続端子１１３ａの＋Ｄと−Ｄが入れ替わっている。
【００２１】
尚、メモリ側接続端子１０３は、プラグを構成し、装置側接続端子１１３は、ソケットを構成する。
【００２２】
更に、データ制御装置１１は、複数のメモリ側接続端子１０３が複数の装置側接続端子１１３にそれぞれ接続され、ユーザから所定の操作を受け付けると、装置側記憶部１１１のデータをメモリ側記憶部１０１のデータに更新するデータ更新制御部１１４を備える。
【００２３】
これにより、簡単な構成であるにもかかわらず、市販外部メモリの接続によるデータの流出及び改ざんを防止し、セキュアなデータ更新を行うことが可能となる。
【００２４】
即ち、図２Ａに示すように、市販外部メモリ９０の複数の接続端子９０１をデータ制御装置１１の複数の装置側接続端子１１３にそれぞれ接続した場合、装置側接続端子１１３は、市販外部メモリ９０の接続端子９０１に対して入れ替え部分１１３ａを有している。そのため、仮に、データ更新制御部１１４が、装置側接続端子１１３を介して市販外部メモリ９０の記憶部９０２にアクセスしようとしても、市販外部メモリ９０の接続端子９０１と装置側接続端子１１３との接続が適切でないことから、データ更新制御部１１４は、市販外部メモリ９０の記憶部９０２に対してデータの読み込みや書き込みをすることが出来ない。
【００２５】
これにより、製造者側がデータ制御装置１１（例えば、動画再生装置）を取扱者に導入したとしても、取扱者の保有する市販外部メモリ９０と製造者側のデータ制御装置１１とは、そもそも適切な接続が出来ないため、市販外部メモリ９０とデータ制御装置１１との接続によるデータの流出及び改ざんを確実に防止することが出来る。
【００２６】
一方、図２Ｂに示すように、専用外部メモリ１０の複数のメモリ側接続端子１０３をデータ制御装置１１の複数の装置側接続端子１１３にそれぞれ接続した場合、装置側接続端子１１３の入れ替え部分１１３ａはメモリ側接続端子１０３の入れ替え部分１０３ａと同等である。そのため、メモリ側接続端子１０３と装置側接続端子１１３との接続が適切となり、データ更新制御部１１４は、専用外部メモリ１０とデータ通信可能となり、専用外部メモリ１０のメモリ側記憶部１０１に対してデータの読み込みや書き込みをすることが出来る。その結果、ユーザからの所定の操作を受け付けることで、装置側記憶部１１１のデータをメモリ側記憶部１０１のデータに更新することが出来る。
【００２７】
又、専用外部メモリ１０のメモリ側接続端子１０３を市販の外部端末の接続端子に接続したとしても、メモリ側接続端子１０３は入れ替え部分１０３ａを有しているため、市販の外部端末と専用外部メモリ１０とのデータ通信は行うことが出来ない。又、データ制御装置１１の装置側接続端子１１３を市販の外部メモリの接続端子に接続したとしても、同様に、装置側接続端子１１３は入れ替え部分１１３ａを有しているため、データ制御装置１１と市販の外部メモリとのデータ通信は行うことが出来ない。
【００２８】
これにより、製造者側がデータ制御装置１１と専用外部メモリ１０を取扱者に導入したとしても、取扱者は、専用外部メモリ１０を使って目的とするデータ制御装置１１のデータ更新のみしかすることが出来ないため、セキュアなデータ更新を行うことが可能となる。
【００２９】
更に、メモリ側接続端子１０３は、メモリ側記憶部１０１からの通信配線１０２に対して入れ替え部分１０３ａを構成し、且つ、装置側接続端子１１３は、装置側記憶部１１１からの通信配線１１２に対して入れ替え部分１１３ａを構成すればよいため、極めて簡単な構成であり、実施が比較的容易であるという利点を有する。
【００３０】
＜第二のデータ更新システム＞
本考案に係る第二のデータ更新システム２は、図３に示すように、市販外部端末２０と専用通信ケーブル２１とデータ制御装置２２とを備える第二のデータ更新システムである。市販外部端末２０は、データを記憶する端末側記憶部２０１と、端末側記憶部２０１からの複数の通信配線２０２にそれぞれ接続された複数の端末側接続端子２０３と、を備える。
【００３１】
ここで、市販外部端末２０における端末側接続端子２０３は、例えば、正規の規格に基づいて、＋５Ｖ、−Ｄ、＋Ｄ、ＧＮＤの４種類で構成される。
【００３２】
又、専用通信ケーブル２１は、市販通信ケーブル９１における一方の複数の通信端子９１１の配置と同等の配置を有する一方の複数の第一の通信端子２１１と、市販通信ケーブル９１における他方の複数の通信端子９１２の配置と比較して２つ以上の通信端子２１２ａが入れ替えられた部分を有する他方の複数の第二の通信端子２１２と、を備える。
【００３３】
ここで、第一の通信端子２１１は、端末側接続端子２０３と同様に、＋５Ｖ、−Ｄ、＋Ｄ、ＧＮＤの４種類で構成される。一方、第二の通信端子２１２は、＋５Ｖ、＋Ｄ、−Ｄ、ＧＮＤの４種類で構成され、正規の規格の通信端子９１１に対して第二の通信端子２１２ａの＋Ｄと−Ｄが入れ替わっている。
【００３４】
尚、端末側接続端子２０３は、ソケットを構成し、第一の通信端子２１１と第二の通信端子２１２は、プラグを構成する。
【００３５】
更に、データ制御装置２２は、データを記憶する装置側記憶部２２１と、装置側記憶部２２１からの複数の通信配線２２２にそれぞれ接続され、専用通信ケーブル２１の複数の第二の通信端子２１２の入れ替え部分２１２ａと同等の入れ替え部分２２３ａを有する複数の装置側接続端子２２３と、を備える。
【００３６】
ここで、装置側接続端子２２３は、専用通信ケーブル２１の複数の第二の通信端子２１２と同様に、＋５Ｖ、＋Ｄ、−Ｄ、ＧＮＤの４種類で構成され、正規の規格の接続端子９１１に対して装置側接続端子２２３ａの＋Ｄと−Ｄが入れ替わっている。又、装置側接続端子２２３は、ソケットを構成する。
【００３７】
そして、データ制御装置２２は、複数の第一の通信端子２１１が複数の端末側接続端子２０３にそれぞれ接続され、複数の第二の通信端子２１２が複数の装置側接続端子２２３にそれぞれ接続され、ユーザから所定の操作を受け付けると、装置側記憶部２２１のデータを端末側記憶部２０１のデータに更新するデータ更新制御部２２４を備える。
【００３８】
これにより、簡単な構成であるにもかかわらず、市販外部端末の接続によるデータの流出及び改ざんを防止し、セキュアなデータ更新を行うことが可能となる。
【００３９】
即ち、図４Ａに示すように、市販通信ケーブル９１の一方の複数の通信端子９１１を市販外部端末２０の複数の端末側接続端子２０３にそれぞれ接続し、市販通信ケーブル９１の他方の複数の通信端子９１２をデータ制御装置２２の複数の装置側接続端子２２３にそれぞれ接続した場合、一方の複数の通信端子９１１は複数の端末側接続端子２０３に適切に接続されるものの、装置側接続端子２２３は、市販通信ケーブル９１の他方の複数の通信端子９１２に対して入れ替え部分２２３ａを有している。そのため、仮に、データ更新制御部２２４が、装置側接続端子２２３を介して市販外部端末２０の端末側記憶部２０１にアクセスしようとしても、市販通信ケーブル９１の他方の通信端子９１２と装置側接続端子２２３との接続が適切でないことから、データ更新制御部２２４は、市販外部端末２０の端末側記憶部２０１に対してデータの読み込みや書き込みをすることが出来ない。
【００４０】
これにより、製造者側がデータ制御装置２２（例えば、動画再生装置）を取扱者に導入し、取扱者の保有する市販外部端末２０と製造者側のデータ制御装置１１とを市販通信ケーブル９１で接続しようとしても、そもそも適切な接続が出来ないため、市販外部端末２０とデータ制御装置２２との接続によるデータの流出及び改ざんを確実に防止することが出来る。
【００４１】
一方、図４Ｂに示すように、専用通信ケーブル２１の第一の通信端子２１１を市販外部端末２０の複数の端末側接続端子２０３にそれぞれ接続し、専用通信ケーブル２１の第二の通信端子２１２をデータ制御装置２２の複数の装置側接続端子２２３にそれぞれ接続した場合、装置側接続端子２２３の入れ替え部分２２３ａは第二の通信端子２１２の入れ替え部分２１２ａと同等である。そのため、第二の通信端子２１２と装置側接続端子２２３との接続が適切となり、データ更新制御部１１４は、専用通信ケーブル２１を介して市販外部端末２０とデータ通信可能となり、市販外部端末２０の端末側記憶部２０１に対してデータの読み込みや書き込みをすることが出来る。その結果、ユーザからの所定の操作を受け付けることで、装置側記憶部２２１のデータを端末側記憶部２０１のデータに更新することが出来る。
【００４２】
尚、専用通信ケーブル２１の第二の通信端子２１２を市販の外部端末の接続端子に接続したとしても、第二の通信端子２１２は入れ替え部分２１２ａを有しているため、適切な接続が出来ない。そのため、２つの市販の外部端末を専用通信ケーブル２１を介して接続したとしても、相互でデータ通信は行うことが出来ない。又、データ制御装置２２の装置側接続端子２２３を市販の外部メモリの接続端子に接続したとしても、同様に、装置側接続端子２２３は入れ替え部分２２３ａを有しているため、データ制御装置２２と市販の外部メモリとのデータ通信は行うことが出来ない。
【００４３】
これにより、製造者側がデータ制御装置２２と専用通信ケーブル２１を取扱者に導入したとしても、取扱者は、専用通信ケーブル２１を使ってしか目的とするデータ制御装置１１のデータ更新をすることが出来ないため、セキュアなデータ更新を行うことが可能となる。
【００４４】
更に、第二の通信端子２１２は、市販通信ケーブル９１における他方の複数の通信端子９１２に対して入れ替え部分２１２ａを構成し（一方の複数の通信端子９１１に対して入れ替え部分２１２ａを構成しても、他方の複数の通信端子９１２は一方の複数の通信端子９１１に対応しているため、同様である）、且つ、装置側接続端子２２３は、装置側記憶部２２１からの通信配線２２２に対して入れ替え部分２２３ａを構成すればよいため、極めて簡単な構成であり、実施が比較的容易であるという利点を有する。
【００４５】
図５Ａには、本考案に係る第二のデータ更新システムの専用通信ケーブルの全体写真を示し、図５Ｂには、本考案に係る第二のデータ更新システムの専用通信ケーブルの雄型及び雌型の通信端子の写真を示す。図５Ａに示すように、専用通信ケーブル２１の外観は、一見すると、市販通信ケーブルと同等である。又、図５Ｂに示すように、専用通信ケーブル２１の雄型の第一の通信端子２１１と、雌型の第二の通信端子２１２との外観は、一見すると、市販通信ケーブルと同等である。
【００４６】
しかしながら、第一の通信端子２１１を市販通信ケーブルにおける一方の通信端子の配置と同等の配置とし、第二の通信端子２１２を市販通信ケーブルにおける他方の通信端子の配置と比較して２つ以上の通信端子が入れ替えられた部分を有するように構成することで、市販外部端末の接続によるデータの流出及び改ざんを防止し、セキュアなデータ更新を行うことが可能となる。又、外観上は、市販通信ケーブルと変わらないことから、取扱者は、違和感なく、製造者から専用通信ケーブル２１とデータ制御装置２２の搬入を受け入れることが出来る。
【００４７】
＜各構成＞
データ制御装置１１、２２は、動画再生装置を想定したが、その種類に特に限定は無く、データに基づいて処理するデータ処理装置、データ作成装置、音声再生装置等、データを制御する装置であれば、あらゆる装置を挙げることが出来る。
【００４８】
専用外部メモリ１０は、例えば、ＵＳＢメモリを想定したが、その種類に特に限定は無く、例えば、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）等、外部接続用の補助記憶装置であれば、あらゆるメモリを挙げることが出来る。
【００４９】
メモリ側接続端子１０３は、＋５Ｖ、＋Ｄ、−Ｄ、ＧＮＤの４本を想定したが、その数に特に限定は無く、５本でも６本でも構わない。メモリ側接続端子１０３の数は、正規の規格によって適宜変更される。装置側接続端子１１３、２２３、第二の通信端子２１２であっても同様である。又、入れ替え部分１０３ａ、１１３ａ、２１２ａ、２２３ａは、＋Ｄと−Ｄとの２つを想定したが、それ以上であっても構わない。入れ替え部分１０３ａ、１１３ａ、２１２ａ、２２３ａの数は、正規の規格や通信ライン（信号ライン）の基本的な数によって適宜変更される。
【００５０】
データ更新制御部１１４、２２４は、図示しないＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等を内蔵しており、ＣＰＵは、例えば、ユーザのキー操作に対応する所定の電気信号を受けて、ＲＡＭを作業領域として利用し、ＲＯＭ等に記憶されているプログラムを実行し、データ更新を実行する。尚、プログラム言語に特に限定は無い。
【００５１】
又、データ更新のためのユーザからの所定の操作に特に限定は無く、データ制御装置１１、２２に予め設けられた複数のキーの操作の組み合わせであっても、隠しキーの操作であっても良い。
【００５２】
又、データ制御装置１１、２２は、データに基づいて処理を行い、画像を表示したり、動画を再生したり、音声を発生させたりする等、一般的なデータ処理に伴う機能を適宜有しても構わない。
【００５３】
又、データ制御装置１１、２２の適用分野は、例えば、データの流出及び改ざんに厳しい医療分野や金融分野等を挙げることが出来るが、これらに限定する必要は無く、データ更新が必要なあらゆる分野に適用することが出来る。
【産業上の利用可能性】
【００５４】
以上のように、本考案に係るデータ更新システムは、医療分野はもちろん、金融分野等のあらゆる分野のデータ更新システムに有用であり、簡単な構成であるにもかかわらず、市販の外部メモリ又は市販の外部端末の接続によるデータの流出及び改ざんを防止し、セキュアなデータ更新を行うことが可能なデータ更新システムとして有効である。
【符号の説明】
【００５５】
１、２  データ更新システム
１０  専用外部メモリ
１０１  メモリ側記憶部
１０２、１１２、２０２。２２１  通信配線
１０３  メモリ側接続端子
１１、２２  データ制御装置
１１１、２２１  装置側記憶部
１１３、２２３  装置側接続端子
１１４、２２４  データ更新制御部
２０  市販外部端末
２０１  端末側記憶部
２０３  端末側接続端子
２１  専用通信ケーブル
２１１  第一の通信端子
２１２  第二の通信端子
【図１】
0003219885.tif 000003
【図２】
0003219885.tif 000004
【図３】
0003219885.tif 000005
【図４】
0003219885.tif 000006
【図５】
0003219885.tif 000007